(57)【要約】      （修正有）【課題】端末局装置が複数の周波数帯域に配置されたチャネルから受信品質の良好なチャネルを所定の数だけ選んでその受信品質測定結果を基地局装置へ通知する際に、より適切なチャネルを選択する。【解決手段】受信品質測定部３０８は、デマッピング部３０５から出力されたパイロットシンボルに基づいて各チャネルの受信品質（ＳＩＮＲ）を測定し出力する。チャネル選択部３１１は、各チャネルの属する周波数帯域に基づいて各チャネルの選択優先度を決定し、その優先度と受信品質測定部３０８から出力された各チャネルの受信品質の測定結果（以下、単に「受信品質」と記す。）に基づいて、基地局装置に受信品質を通知するチャネルを選択し、選択したチャネルを示す選択チャネル情報と選択したチャネルの受信品質を出力する。【選択図】図３
2010098368.tif 000002
【特許請求の範囲】
【請求項１】
複数の周波数に配置された複数のチャネルの中から基地局装置によって割り当てられたチャネルを介して基地局装置と通信を行う端末局装置であって、
前記複数のチャネルの受信品質を測定する受信品質測定部と、
各チャネルの周波数と前記各チャネルの受信品質測定結果とに基づいて、前記複数のチャネルの中から前記基地局装置へ割り当てを要求する１以上のチャネルを選択するチャネル選択部と、
前記選択したチャネルを表す情報を含む受信品質情報を生成する受信品質情報生成部と、
前記受信品質情報を送信する無線送信部と
を備えることを特徴とする端末局装置。
【請求項２】
前記チャネル選択部は、
前記各チャネルの周波数に基づいて各チャネルの選択優先度を決定し、前記各チャネルの受信品質測定結果と前記選択優先度とに基づいて前記複数のチャネルの中から前記基地局装置へ割り当てを要求する１以上のチャネルを選択することを特徴とする請求項１に記載の端末局装置。
【請求項３】
前記チャネル選択部は、
周波数の近接する複数のチャネルをグループ化し、前記グループ毎に前記選択優先度を決定することを特徴とする請求項２に記載の端末局装置。
【請求項４】
前記チャネル選択部は、
低い方の周波数に配置されたチャネルまたはチャネルのグループの前記選択優先度を、高い方の周波数に配置されたチャネルまたはチャネルのグループの前記選択優先度より高く設定することを特徴とする請求項２または３に記載の端末局装置。
【請求項５】
さらに、移動速度を測定する移動速度測定部を備え、
前記チャネル選択部は、さらに前記移動速度測定結果に基づいて各チャネルの選択優先度を決定することを特徴とする請求項２から４までのいずれか１項に記載の端末局装置。
【請求項６】
前記チャネル選択部は、
前記移動速度測定結果が第１の閾値以下、または前記第１の閾値より大きな第２の閾値以上である場合、前記選択優先度を全チャネルで等しくすることを特徴とする請求項５に記載の端末局装置。
【請求項７】
前記チャネル選択部は、
さらに自端末局装置が割り当てられたチャネルまたは前記割り当てられたチャネルの属するグループの前記選択優先度を高く設定することを特徴とする請求項２から６までのいずれか１項に記載の端末局装置。
【請求項８】
前記チャネル選択部は、
前記選択優先度に基づいて各チャネルの重み係数を算出して前記各チャネルの受信品質測定結果に乗算し、前記乗算結果に基づいて前記複数のチャネルの中から前記基地局装置へ割り当てを要求する１以上のチャネルを選択することを特徴とする請求項２から７までのいずれか１項に記載の端末局装置。
【請求項９】
前記受信品質情報生成部は、
前記選択したチャネルにおける前記受信品質測定結果に前記重み係数を乗算した結果を表す情報をさらに含む受信品質情報を生成することを特徴とする請求項８に記載の端末局装置。
【請求項１０】
複数の周波数に配置された複数のチャネルの中から基地局装置によって割り当てられたチャネルを介して複数の送信アンテナを備える基地局装置と通信を行う複数の受信アンテナを備える端末局装置であって、
前記複数のチャネルの受信品質を測定する受信品質測定部と、
前記複数の送信アンテナを用いた送信モードの種類、各チャネルの周波数、および前記各チャネルの受信品質測定結果に基づいて前記複数のチャネルの中から前記基地局装置へ割り当てを要求する１以上のチャネルを選択するチャネル選択部と、
前記選択したチャネルを表す情報を含む受信品質情報を生成する受信品質情報生成部と、
前記受信品質情報を送信する無線送信部と
を備えることを特徴とする端末局装置。
【請求項１１】
前記チャネル選択部は、
前記送信モードが送信ダイバーシチの場合、前記周波数の低いチャネルの中から選択するチャネルの数を多くすることを特徴とする請求項１０に記載の端末局装置。
【請求項１２】
前記チャネル選択部は、
前記送信モードがＭＩＭＯの場合、前記周波数の高いチャネルの中から選択するチャネルの数を多くすることを特徴とする請求項１０に記載の端末局装置。
【請求項１３】
前記受信品質情報生成部は、
前記選択したチャネルにおける前記受信品質測定結果を表す情報をさらに含む受信品質情報を生成することを特徴とする請求項２から８、１０、１１のいずれか１項に記載の端末局装置。
【請求項１４】
複数の周波数に配置された複数のチャネルを用いて基地局装置から端末局装置への通信を行う通信システムであって、
前記端末局装置は、
前記複数のチャネルの受信品質を測定する受信品質測定部と、
各チャネルの周波数と前記各チャネルの受信品質測定結果に基づいて前記複数のチャネルの中から前記基地局装置へ割り当てを要求する１以上のチャネルを選択するチャネル選択部と、
前記選択したチャネルを表す情報を含む受信品質情報を生成する受信品質情報生成部と、
前記受信品質情報を送信する無線送信部とを備え、
前記基地局装置は、
前記端末局装置から送信された前記受信品質情報を受信する無線受信部と、
前記受信品質情報に基づいて前記複数のチャネルから前記端末局装置への通信に用いるチャネルの割り当てを決定するスケジューリング部とを備える
ことを特徴とする通信システム。
【請求項１５】
複数の周波数に配置された複数のチャネルを用いて基地局装置から端末局装置への通信を行う通信方法あって、
前記端末局装置は、
前記複数のチャネルの受信品質を測定するステップと、
各チャネルの周波数と前記各チャネルの受信品質測定結果に基づいて前記複数のチャネルの中から前記基地局装置へ割り当てを要求する１以上のチャネルを選択するステップと、
前記選択したチャネルを表す情報を含む受信品質情報を生成するステップと、
前記受信品質情報を送信するステップと、を有し、
前記基地局装置は、
前記端末局装置から送信された前記受信品質情報を受信するステップと、
前記受信品質情報に基づいて前記複数のチャネルから前記端末局装置への通信に用いるチャネルの割り当てを決定するスケジューリングステップと、を有することを特徴とする通信方法。
【請求項１６】
請求項１５に記載の通信方法をコンピュータに実行させるためのプログラム。
【請求項１７】
請求項１６に記載のプログラムを記録するコンピュータ読みとり可能な記録媒体。
【発明の詳細な説明】
【技術分野】
【０００１】
本発明は、受信信号から各チャネルの受信品質を測定し、その結果を基地局装置へ報告する端末局装置および通信システムに関する。
【背景技術】
【０００２】
通信の効率（システムのトータルスループットや、受信エラーの発生を勘案した実質的な伝送速度）を改善する方法として、受信信号電力やＳＩＮＲ（Signal to Interference plus Noise power Ratio：受信信号電力対干渉および雑音電力比）等の伝搬路状態及び受信品質を示す指標を基に、変調方式や、チャネル符号化率、誤り訂正符号化方式、拡散率、コード多重数、送信電力等の通信パラメータを、適応的に選択する方式が提案されている（下記非特許文献１参照）。特に、変調方式やチャネル符号化率などの変調パラメータを適応的に選択する方式は適応変調方式と呼ばれている。
【０００３】
また、基地局装置と複数の端末局装置とから構成され、基地局装置から端末局装置への通信（下りリンク）においてマルチキャリア通信を用いる通信システムでは、以下の方式が検討されている（非特許文献２、非特許文献３）。
【０００４】
１）下りリンク信号の各端末局装置における各チャネルの受信品質に応じて、チャネルを各端末局装置に割り当てるスケジューリングを行う。
【０００５】
２）さらに下りリンクに対して、１つのサブキャリアまたは幾つかのサブキャリアからなるチャネル毎に、適応変調を行う。
【０００６】
尚、端末局装置の受信品質に基づいたスケジューリングや適応変調方式を採用した通信システムでは、割り当てや変調パラメータを決定するために、通信に使用するチャネルの受信信号電力やＳＩＮＲ等の伝搬路状態および受信品質を示す指標を通信相手に通知する必要がある。
【０００７】
上記のようなシステムでは、各端末局装置が各チャネルに関する受信品質情報を、上りリンクの制御チャネル等を用いて、基地局装置へ通知する必要がある。このため、端末局装置数およびチャネル数に比例して、上りリンクで伝送する受信品質情報の情報量が膨大になるという問題があった。
【０００８】
そこで、上記の問題を改善する為に、上りリンクで伝送する受信品質情報の情報量の削減を目的として、基地局装置が各端末局装置に通信用として割り当てた全チャネルのうち、受信品質の良好なチャネルを、受信品質の良好な方から所定の数だけ選び、それらのチャネルの受信品質だけを基地局装置へ通知する方法が提案されている（下記特許文献１、特許文献２、非特許文献３、非特許文献４参照）。
【０００９】
また、次世代の通信方式では、より高速な通信を実現するために、広い周波数帯域を用いて通信を行うことが考えられている。しかし、既存の他のシステムが使用している周波数帯域を避けなければならないため、連続で広い周波数帯域を割り当てることが難しい。そのため、不連続に配置された周波数帯域を集めて１つのシステムで利用する周波数アグリゲーション（Spectrum aggregation）技術が提案されている（下記非特許文献５参照）。
【００１０】
【特許文献１】特開２００４−２０８２３４号公報
【特許文献２】特開２００６−５０５４５号公報
【非特許文献１】岸山他「下りリンクＶＳＦ−ＯＦＣＤＭブロードバンド無線アクセスにおける適応変復調・チャネル符号化のスループット特性の実験結果」、電子情報通信学会技術研究報告、２００３年５月、ＲＣＳ２００３−２５
【非特許文献２】前原他「サブキャリア適応変調を用いたＯＦＤＭ／ＴＤＤ伝送方式の検討」、２００１年電子情報通信学会総合大会、２００１年３月、Ｂ−５−１００、ｐ．４９８
【非特許文献３】「ＣＱＩ  ｒｅｐｏｒｔ  ａｎｄ  ｓｃｈｅｄｕｌｉｎｇ  ｐｒｏｃｅｄｕｒｅ」、３ＧＰＰ、ＴＳＧ−ＲＡＮ  ＷＧ１  Ｍｅｅｔｉｎｇ  ＃４２ｂｉｓ、Ｒ１−０５１０４５、２００５年１０月
【非特許文献４】Ｓｅｎｓｉｔｉｖｉｔｙ  ｏｆ  ＤＬ／ＵＬ  Ｐｅｒｆｏｒｍａｎｃｅ  ｔｏ  ＣＱＩ−Ｃｏｍｐｒｅｓｓｉｏｎ  ｗｉｔｈ  Ｔｅｘｔ  Ｐｒｏｐｏｓａｌ」、３ＧＰＰ、ＴＳＧ−ＲＡＮ  ＷＧ１  ａｄ  ｈｏｃ  ｍｅｅｔｉｎｇ  ｏｎ  ＬＴＥ、Ｒ１−０６０２２８、２００６年１月
【非特許文献５】「ＬＴＥ−Ａｄｖａｎｃｅｄ  −  ＬＴＥ  ｅｖｏｌｕｔｉｏｎ  ｔｏｗａｒｄｓ  ＩＭＴ−Ａｄｖａｎｃｅｄ」、３ＧＰＰ、Ｗｏｒｋｓｈｏｐ、ＩＭＴ−Ａｄｖａｎｃｅｄ、ＲＥＶ−０８００３０、２００８年４月
【発明の開示】
【発明が解決しようとする課題】
【００１１】
しかしながら、複数の周波数帯域を集めて利用する場合、各周波数帯域における伝搬路の変動速度がそれぞれ異なるため、端末局装置がこれら複数の周波数帯域に配置されたチャネルから受信品質の良好なチャネルを所定の数だけ選んでその受信品質測定結果を基地局装置へ通知する際に、各周波数帯域に対して同一の基準を用いてチャネルの選択を行うことは適切ではなかった。
【００１２】
本発明は、端末局装置が複数の周波数帯域に配置されたチャネルから受信品質の良好なチャネルを所定の数だけ選んでその受信品質測定結果を基地局装置へ通知する際に、より適切なチャネルを選択することを目的とする。
【課題を解決するための手段】
【００１３】
本発明の一観点によれば、複数の周波数に配置された複数のチャネルの中から基地局装置によって割り当てられたチャネルを介して基地局装置と通信を行う端末局装置であって、前記複数のチャネルの受信品質を測定する受信品質測定部と、各チャネルの周波数と前記各チャネルの受信品質測定結果とに基づいて、前記複数のチャネルの中から前記基地局装置へ割り当てを要求する１以上のチャネルを選択するチャネル選択部と、前記選択したチャネルを表す情報を含む受信品質情報を生成する受信品質情報生成部と、前記受信品質情報を送信する無線送信部と、を備えることを特徴とする端末局装置が提供される。
【００１４】
前記チャネル選択部は、前記各チャネルの周波数に基づいて各チャネルの選択優先度を決定し、前記各チャネルの受信品質測定結果と前記選択優先度とに基づいて前記複数のチャネルの中から前記基地局装置へ割り当てを要求する１以上のチャネルを選択することが好ましい。各チャネルの受信品質測定結果と前記選択優先度とに基づいて、受信品質が良く、優先度の高いチャネルを選択する。前記チャネル選択部は、周波数の近接する複数のチャネルをグループ化し、前記グループ毎に前記選択優先度を決定することが好ましい。
【００１５】
前記チャネル選択部は、低い方の周波数に配置されたチャネルまたはチャネルのグループの前記選択優先度を、高い方の周波数に配置されたチャネルまたはチャネルのグループの前記選択優先度より高く設定することが好ましい。さらに、移動速度を測定する移動速度測定部を備え、前記チャネル選択部は、さらに前記移動速度測定結果に基づいて各チャネルの選択優先度を決定することが好ましい。
【００１６】
前記チャネル選択部は、前記移動速度測定結果が第１の閾値以下、または前記第１の閾値より大きな第２の閾値以上である場合、前記選択優先度を全チャネルで等しくすることが好ましい。前記チャネル選択部は、さらに自端末局装置が割り当てられたチャネルまたは前記割り当てられたチャネルの属するグループの前記選択優先度を高く設定することが好ましい。
【００１７】
前記チャネル選択部は、前記選択優先度に基づいて各チャネルの重み係数を算出して前記各チャネルの受信品質測定結果に乗算し、前記乗算結果に基づいて前記複数のチャネルの中から前記基地局装置へ割り当てを要求する１以上のチャネルを選択することが好ましい。前記受信品質情報生成部は、前記選択したチャネルにおける前記受信品質測定結果に前記重み係数を乗算した結果を表す情報をさらに含む受信品質情報を生成することが好ましい。
【００１８】
本発明の他の観点によれば、複数の周波数に配置された複数のチャネルの中から基地局装置によって割り当てられたチャネルを介して複数の送信アンテナを備える基地局装置と通信を行う複数の受信アンテナを備える端末局装置であって、前記複数のチャネルの受信品質を測定する受信品質測定部と、前記複数の送信アンテナを用いた送信モードの種類、各チャネルの周波数、および前記各チャネルの受信品質測定結果に基づいて前記複数のチャネルの中から前記基地局装置へ割り当てを要求する１以上のチャネルを選択するチャネル選択部と、前記選択したチャネルを表す情報を含む受信品質情報を生成する受信品質情報生成部と、前記受信品質情報を送信する無線送信部と、を備えることを特徴とする端末局装置が提供される。前記チャネル選択部は、前記送信モードが送信ダイバーシチの場合、前記周波数の低いチャネルの中から選択するチャネルの数を多くすることが好ましい。
【００１９】
前記チャネル選択部は、前記送信モードがＭＩＭＯの場合、前記周波数の高いチャネルの中から選択するチャネルの数を多くすることが好ましい。
【００２０】
前記受信品質情報生成部は、前記選択したチャネルにおける前記受信品質測定結果を表す情報をさらに含む受信品質情報を生成することが好ましい。
【００２１】
また、複数の周波数に配置された複数のチャネルを用いて基地局装置から端末局装置への通信を行う通信システムであって、前記端末局装置は、前記複数のチャネルの受信品質を測定する受信品質測定部と、各チャネルの周波数と前記各チャネルの受信品質測定結果に基づいて前記複数のチャネルの中から前記基地局装置へ割り当てを要求する１以上のチャネルを選択するチャネル選択部と、前記選択したチャネルを表す情報を含む受信品質情報を生成する受信品質情報生成部と、前記受信品質情報を送信する無線送信部とを備え、前記基地局装置は、前記端末局装置から送信された前記受信品質情報を受信する無線受信部と、前記受信品質情報に基づいて前記複数のチャネルから前記端末局装置への通信に用いるチャネルの割り当てを決定するスケジューリング部と、を備えることを特徴とする通信システムが提供される。
【００２２】
本発明の別の観点によれば。複数の周波数に配置された複数のチャネルを用いて基地局装置から端末局装置への通信を行う通信方法あって、前記端末局装置は、前記複数のチャネルの受信品質を測定するステップと、各チャネルの周波数と前記各チャネルの受信品質測定結果に基づいて前記複数のチャネルの中から前記基地局装置へ割り当てを要求する１以上のチャネルを選択するステップと、前記選択したチャネルを表す情報を含む受信品質情報を生成するステップと、前記受信品質情報を送信するステップとを有し、前記基地局装置は、前記端末局装置から送信された前記受信品質情報を受信するステップと、前記受信品質情報に基づいて前記複数のチャネルから前記端末局装置への通信に用いるチャネルの割り当てを決定するスケジューリングステップとを有することを特徴とする通信方法が提供される。
【００２３】
本発明は、上記に記載の通信方法をコンピュータに実行させるためのプログラムであっても良く、該プログラムを記録するコンピュータ読みとり可能な記録媒体であっても良い。プログラムは、インターネットなどの伝送媒体によって取得されるものであっても良い。
【発明の効果】
【００２４】
本発明によれば、端末局装置が複数の周波数帯域に配置されたチャネルから受信品質の良好なチャネルを所定の数だけ選んでその受信品質測定結果を基地局装置へ通知する際に、より適切なチャネルを選択することを可能とする端末局装置および通信システムを提供することができる。
【発明を実施するための最良の形態】
【００２５】
以下に、基地局装置から端末局装置への下りリンクの通信に、直交周波数分割多重（Orthogonal Frequency Division Multiplex、以下「ＯＦＤＭ」と記す。）を用いた多元接続方式である直交周波数分割多元接続（Orthogonal Frequency Division Multiple Access、以下「ＯＦＤＭＡ」と記す。）システムを採用し、少なくとも１つのサブキャリアからなるチャネル毎に適応スケジューリング（各端末局装置に対するチャネルの割り当て）を行うセルラーシステムにおいて、複数のチャネルから構成される周波数帯域を複数個集めて通信を行う周波数アグリゲーション方式を適用したシステムについて、本発明を適用した例を挙げて説明する。
【００２６】
尚、以下の各実施の形態における説明では、受信品質情報としてパイロットシンボルに基づき算出した指標、例えば、ＳＩＮＲ（Signal to Interference plus Noise power Ratio：受信信号電力対干渉および雑音電力比）を用いるものとして説明する。
【００２７】
［第１の実施の形態］
図１は、本発明の第１の実施の形態における通信技術における、下りリンクのチャネルの周波数配置の一例を示した図である。図１においては、周波数の離れた複数の搬送波で伝送される複数の周波数帯域を下りリンクの通信に使用し、各周波数帯域は複数のチャネルから構成されている。
【００２８】
図１は、チャネル１からチャネル１６までの１６個のチャネルが周波数の低い方から順に配置されている場合の例を示す図である。
【００２９】
また、図１（ａ）においては、各チャネルを伝送する搬送波（搬送波周波数ｆｃ１、ｆｃ２、ｆｃ３：ｆｃ１＜ｆｃ２＜ｆｃ３）毎に周波数帯域Ｂ１、Ｂ２、Ｂ３を定義した場合の例を示しており、周波数帯域Ｂ１にはチャネル１からチャネル４まで、周波数帯域Ｂ２にはチャネル５からチャネル８まで、周波数帯域Ｂ３にはチャネル９からチャネル１６まで、が含まれている。
【００３０】
さらに、図１（ｂ）においては、各周波数帯域が同じ帯域幅（チャネル数）となるように定義した場合の例を示しており、周波数帯域ｂ１にはチャネル１からチャネル４まで、周波数帯域ｂ２にはチャネル５からチャネル８まで、周波数帯域ｂ３にはチャネル９からチャネル１２まで、周波数帯域ｂ４にはチャネル１３からチャネル１６まで、が含まれる。
【００３１】
尚、周波数帯域の定義としては、上記の例に限られるものではなく、周波数の近接するチャネルを含むように定義すれば、チャネルを伝送する搬送波や含まれるチャネル数が異なっている配置でも良い。
【００３２】
図２は、本実施の形態における基地局装置２００の一構成例を示す概略ブロック図である。図３は、本実施の形態における端末局装置３００の一構成例を示す概略ブロック図である。
【００３３】
基地局装置２００は、制御情報を受ける第１の符号化部２０１、下りリンクデータを受ける第２の符号化部２０２、第１の変調部２０３、第２の変調部２０４、パイロット生成部２０５、マッピング部２０６、周波数時間変換部２０７、ＧＩ（Guard Interval：ガード期間）挿入部２０８、無線送信部２０９、アンテナ部２１０、無線受信部２１１、復調部２１２、復号化部２１３、受信品質情報記憶部２１４、スケジューリング部２１５、を有する。
【００３４】
端末局装置３００は、アンテナ部３０１、無線受信部３０２、ＧＩ除去部３０３、時間周波数変換部３０４、デマッピング部３０５、第１の復調部３０６、第２の復調部３０７、受信品質測定部３０８、第１の復号化部３０９、第２の復号化部３１０、チャネル選択部３１１、受信品質情報生成部３１２、符号化部３１３、変調部３１４、無線送信部３１５、を有する。
【００３５】
基地局装置２００での下りリンクの送信動作について図２を参照しながら説明する。第１の符号化部２０１は、端末局装置へ通知する制御情報、および、スケジューリング部２１５による下りリンクのスケジューリング結果であるスケジューリング情報を予め定めた符号化率によって誤り訂正符号化して符号化制御情報を生成し、出力する。
【００３６】
第１の変調部２０３は、第１の符号化部２０１で生成した符号化制御情報を予め定めた変調方式で変調して制御情報の変調シンボルを生成し、出力する。
【００３７】
第２の符号化部２０２は、下りリンクで送信する下りリンクデータに対してスケジューリング情報に基づいて誤り訂正符号化を行い、符号化データを出力する。
【００３８】
第２の変調部２０４は、第２の符号化部２０２で生成した符号化データをスケジューリング情報に基づいて変調し、下りリンクデータの変調シンボルを出力する。
【００３９】
パイロット生成部２０５は、端末局装置における受信品質測定のために送信信号へ挿入するパロットシンボルを生成し、出力する。
【００４０】
マッピング部２０６は、変調部２０３で生成した制御情報の変調シンボルおよびパイロット生成部２０５で生成したパイロットシンボルを予め定めたマッピング位置（各チャネルの各サブキャリア、およびＯＦＤＭシンボル）へ割り当て（マッピングし）、変調部２０４で生成した下りリンクデータの変調シンボルをスケジューリング情報に基づいて各チャネルの各サブキャリアへ割り当て、送信シンボルを出力する。
【００４１】
周波数時間変換部２０７は、マッピング部２０６が出力した送信シンボルを周波数時間変換、例えば高速逆フーリエ変換（Inverse Fast Fourier Transform：ＩＦＦＴ）してＯＦＤＭの時間信号に変換し出力する。
【００４２】
ＧＩ挿入部２０８は、周波数時間変換部２０７で生成されたＯＦＤＭの時間信号にガード期間ＧＩを付加する。
【００４３】
無線送信部２０９は、ガード期間を付加されたＯＦＤＭの時間信号をアナログ信号へ変換し、無線周波数へアップコンバートして、アンテナ部２１０より端末局装置３００に送信する。
【００４４】
尚、本実施の形態では、第１の変調部２０３から無線送信部２０９まで（図２において一点鎖線で囲まれた部分）を各周波数帯域または各搬送波に対応してそれぞれ設けている場合の例を示しているが、一括して処理するように構成しても良い。
【００４５】
次に、端末局装置３００での下りリンクの受信動作と、上りリンクでの受信品質情報の送信（通知）動作について図３を参照しながら説明する。
【００４６】
基地局装置２００から送信された信号を、アンテナ部３０１を経て無線受信部３０２が受信し、無線周波数からダウンコンバートし、さらにデジタル信号へと変換し、ＯＦＤＭの時間信号を出力する。
【００４７】
ＧＩ除去部３０３は、ＯＦＤＭの時間信号からガード期間ＧＩを除去し、ガード期間ＧＩを除去したＯＦＤＭの時間信号を出力する。
【００４８】
時間周波数変換部３０４は、ＧＩ除去部３０３から出力されたＯＦＤＭの時間信号を時間周波数変換、例えば高速フーリエ変換（Fast Fourier Transform：ＦＦＴ）することにより、変調シンボルを出力する。
【００４９】
デマッピング部３０５は、予め定めたマッピング位置から下りリンクの制御情報の変調シンボルとパイロットシンボルとを、その他から下りリンクデータの変調シンボルをそれぞれ分離し、出力する。
【００５０】
第１の復調部３０６は、デマッピング部３０５から出力された制御情報の変調シンボルを、予め定めた変調方式に基づいて復調し、符号化制御情報を出力する。
【００５１】
第１の復号化部３０９は、第１の復調部３０６で復調した符号化制御情報に対して、予め定めた符号化率に基づいて誤り訂正復号化を行い、下りリンクの制御情報およびスケジューリング情報を出力する。
【００５２】
第２の復調部３０７は、デマッピング部３０５から出力された下りリンクデータの変調シンボルを、第２の復号化部３０９から出力された下りリンクのスケジューリング情報に基づいて復調し、符号化データを出力する。
【００５３】
第２の復号化部３１０は、第２の復調部３０７で復調した符号化データに対して、第１の復号化部３０９から出力された下りリンクのスケジューリング情報に基づいて誤り訂正復号化を行い、下りリンクデータを出力する。
【００５４】
受信品質測定部３０８は、デマッピング部３０５から出力されたパイロットシンボルに基づいて各チャネルの受信品質（ＳＩＮＲ）を測定し出力する。
【００５５】
チャネル選択部３１１は、各チャネルの属する周波数帯域に基づいて各チャネルの選択優先度を決定し、その優先度と受信品質測定部３０８から出力された各チャネルの受信品質の測定結果（以下、単に「受信品質」と記す。）とに基づいて、基地局装置２００に受信品質を通知するチャネルを選択し、選択したチャネルを示す選択チャネル情報と選択したチャネルの受信品質を出力する。尚、チャネル選択部３１１の詳細な動作については後述する。
【００５６】
受信品質情報生成部３１２は、チャネル選択部３１１が出力した選択チャネル情報と受信品質とを基地局装置２００へ通知するための受信品質情報を生成し、出力する。
【００５７】
符号化部３１３は、受信品質情報生成部３１２の出力した受信品質情報に対して、予め定めた符号化率に基づいて誤り訂正符号化を行い、符号化受信品質情報を出力する。
【００５８】
変調部３１４は、符号化部３１３で生成した符号化受信品質情報を予め定めた変調方式に基づいて変調し、受信品質情報シンボルを出力する。
【００５９】
無線送信部３１５は、変調部３１４で生成した受信品質情報シンボルをアナログ信号へ変換し、無線周波数へアップコンバートして、アンテナ部３０１から基地局装置２００へ送信する。
【００６０】
尚、本実施の形態では、無線受信部３０２から受信品質測定部３０８まで（図３の一点鎖線で囲まれた部分）を各周波数帯域または各搬送波に対応してそれぞれ設けている場合の例を示しているが、一括して処理するように構成しても良い。
【００６１】
また、本実施の形態では、受信品質情報を単独で基地局装置２００へ通知する場合の例を説明したが、上りリンクデータに多重して、あるいは、上りリンクデータの一部として送信する構成としても良い。このとき、上りリンクデータの符号化率、変調方式に基づいて受信品質情報の誤り訂正符号化、変調を行っても良い。
【００６２】
基地局装置２００での上りリンクでの受信品質情報の受信動作について図２を参照しながら説明する。
【００６３】
端末局装置３００から送信された信号を、アンテナ部２１０を経て無線受信部２１１が受信し、無線周波数からダウンコンバートし、さらにデジタル信号へと変換し、受信品質情報シンボルを出力する。
【００６４】
復調部２１２は、受信品質情報シンボルを、予め定めた変調方式に基づいて復調し、符号化受信品質情報を出力する。
【００６５】
復号化部２１３は、復調部２１２の出力した符号化受信品質情報を、予め定めた符号化率に基づいて誤り訂正復号化を行い、受信品質情報を出力する。
【００６６】
受信品質情報記憶部２１４は、復号化部２１３の出力した受信品質情報を記憶する。
【００６７】
スケジューリング部２１５は、受信品質情報記憶部２１４に記憶された各端末局装置の受信品質情報に基づいて、各端末局装置宛の下りリンクデータのチャネルへの割り当て、変調方式、および符号化率などを決定し、スケジューリング情報として出力する。
【００６８】
尚、本実施の形態では、下りリンクの制御情報およびスケジューリング情報の誤り訂正符号化の符号化率、変調方式、およびマッピング位置と、パイロットシンボルのマッピング位置、および上りリンクの受信品質情報の誤り訂正符号化の符号化率、変調方式について、予め定めておく場合の例について説明した。しかし、別途、基地局装置から端末局装置へ通知される信号または情報などに基づいてこれらの情報が特定できるようにしても良い。
【００６９】
図４は、端末局装置３００におけるチャネル選択部３１１の構成の一例を示すブロック図である。
【００７０】
受信品質測定部３０８から出力された各チャネルの受信品質が優先度決定部３４１と選択実行部３４２に入力される。
【００７１】
優先度決定部３４１は、各チャネルの属する各周波数帯域の（中心）周波数または搬送波周波数、あるいは各チャネルの（中心）周波数のいずれかに基づいて、各チャネルの選択優先度を決定し出力する。その際、該周波数が低い方のチャネルの選択優先度が高くなるように決定する。
【００７２】
或いは、優先度決定部３４１は、上記に加えて、下りリンクにおいて自端末局装置宛の下りリンクデータが割り当てられていたチャネル、またはそのチャネルの属する周波数帯域あるいは搬送波周波数に属する各チャネルの選択優先度が高くなるように決定しても良い。このようにすることで、すでに自端末局装置宛の下りリンクデータが割り当てられているチャネル、または、そのチャネルの属する周波数帯域あるいは搬送波周波数に属するチャネルが選択される確率が高くなり、基地局装置によって自端末局装置へ割り当てられるチャネルや周波数帯域、搬送波周波数の頻繁な切り替えが抑えられ、該切り替えに要する処理の低減や、周辺の他のシステムへ与える干渉の変動の低減が可能となる。
【００７３】
選択実行部３４２は、優先度決定部３４１が決定した選択優先度を考慮して受信品質の良好なチャネルから所定数のチャネルを選択し、選択したチャネルを表す選択チャネル情報と、選択チャネルの受信品質を出力する。
【００７４】
図５は、Ｎ個のチャネルからＭ個のチャネルを選択する場合の一例として、Ｎ＝１６、Ｍ＝４の例を示す図であり、各チャネルの属する搬送波周波数毎にチャネルをグループ化し、そのグループ毎に搬送波周波数に基づいて選択優先度を決定した場合の例である。
【００７５】
優先度決定部３４１は、最も低い搬送波周波数ｆｃ１に属するチャネル１からチャネル４のグループの選択優先度を最も高い「１」に、次に低い搬送波周波数ｆｃ２に属するチャネル５からチャネル８のグループの選択優先度を「２」に、最も高い搬送波周波数ｆｃ３に属するチャネル９からチャネル１６のグループの選択優先度を最も低い「３」に決定する。
【００７６】
選択優先度を考慮したチャネルの選択方法については、
選択優先度に応じて選択するチャネルの数を決定する（選択優先度の高いチャネルの中から選択するチャネル数を多くする）方法、
選択優先度の高いチャネルの中から順番にチャネルを選択する方法、
などがある。ここでは、選択優先度を考慮したチャネルの選択に以下のような手順を用いた場合を説明する。
【００７７】
最も選択優先度の高いチャネルの中から受信品質の良好なＡ１個のチャネルを選択する。
【００７８】
同様に順次、ｉ番目の選択優先度のチャネルの中から受信品質の良好なＡｉ個のチャネルを選択する。なお、ｉは２からＫまでの自然数であり、ＫはＡ１からＡＫまでの総和がＭ以下となるように任意に定めた値とする。
【００７９】
最後に、残りの全てのチャネルから受信品質の良好な
【００８０】
【数１】
2010098368.tif 000003
個のチャネルを選択する。
【００８１】
図５の例は、Ｋ＝２、Ａ１＝１、Ａ２＝１の場合を示している。選択実行部３４２は、上記の手順に基づいて以下のようにチャネルを選択する。
【００８２】
最初に、選択優先度「１」のチャネル１からチャネル４の中から、最も受信品質の良いチャネル３を選択チャネルとして選択する（第１位）。
【００８３】
次に、選択優先度「２」のチャネル５からチャネル８の中から、最も受信品質の良いチャネル８を選択チャネルとして選択する（第２位）。
【００８４】
最後に、残った全てチャネルの中で受信品質の良い方から
【００８５】
【数２】
2010098368.tif 000004
個のチャネル１５（第３位）とチャネル９（第４位）とを、選択チャネルとして選択する。
【００８６】
このように、本実施の形態によれば、端末局装置３００が複数の周波数帯域に配置されたチャネルから受信品質の良好なチャネルを所定の数だけ選んでその受信品質測定結果を基地局装置２００へ通知する際に、各チャネルが属する各周波数帯域の（中心）周波数または搬送波周波数、あるいは各チャネルの（中心）周波数のいずれかに基づいて該周波数が低い方のチャネルの選択優先度が高くなるように決定し、その選択優先度に基づいてチャネルを選択する。そのため、同じ受信品質のチャネルであっても、チャネルの変動速度がより小さくなり、周波数の低い方のチャネルを優先的に選択することが可能となり、より安定性の高い（誤り率特性の良い）下りリンクのデータ通信が実現することができる。
【００８７】
［第２の実施の形態］
次に、本発明の第２の実施の形態について説明する。本実施の形態における基地局装置２００の構成は図２と同じである。また、端末局装置３００の構成は、図３のチャネル選択部３１１の構成が異なるが、その他の構成は同じである。
【００８８】
以下、第１の実施の形態と異なる部分について説明する。図６は、本実施の形態における端末局装置３００のチャネル選択部３１１の構成の一例を示すブロック図である。
【００８９】
受信品質測定部３０８から出力された各チャネルの受信品質が優先度決定部３４１と重み乗算部３６２とに入力される。
【００９０】
優先度決定部３４１は、各チャネルの属する各周波数帯域の（中心）周波数または搬送波周波数、あるいは、各チャネルの（中心）周波数のいずれかに基づいて、各チャネルの選択優先度を決定し出力する。その際、各チャネルの属する各周波数帯域の（中心）周波数または搬送波周波数、あるいは、各チャネルの（中心）周波数が低い方のチャネルの選択優先度が高くなるように決定する。さらに、下りリンクにおいて自端末局装置宛の下りリンクデータが割り当てられていたチャネル、または、そのチャネルの属する周波数帯域あるいは搬送波周波数に属する各チャネルの選択優先度が高くなるように決定しても良い。
【００９１】
重み算出部３６１は、優先度決定部３４１で決定した各チャネルの選択優先度に応じて、各チャネルの受信品質に乗算する重み係数を算出する。
【００９２】
重み乗算部３６２は、各チャネルの受信品質に対して、重み算出部３６１で算出した各チャネルの重み係数を乗算し、重み付け受信品質を出力する。
【００９３】
選択実行部３６３は、重み付け受信品質の良好なチャネルから所定数のチャネルを選択し、選択したチャネルを表す選択チャネル情報と、選択チャネルの重み付け受信品質を出力する。
【００９４】
尚、上記の例では、選択チャネルの受信品質として、重み付け後の受信品質を基地局装置２００へ通知する場合を例にして説明したが、重み付け前の受信品質を基地局装置２００へ通知する構成としても良い。その場合には、受信品質測定部３０８から出力された各チャネルの受信品質を選択実行部３６３にも入力するか、または、重み乗算部３６２において重み付け受信品質とともに受信品質を出力し、選択実行部３６３は選択したチャネルを表す選択チャネル情報と、（重み付け前の）受信品質を出力する。
【００９５】
図７は、Ｎ個のチャネルからＭ個のチャネルを選択する場合の一例として、Ｎ＝１６、Ｍ＝４の例を示す図である。この図においては、各チャネルの属する搬送波周波数毎にチャネルをグループ化し、そのグループ毎に搬送波周波数に基づいて、選択優先度を決定した場合の例である。
【００９６】
優先度決定部３４１は、最も低い搬送波周波数ｆｃ１に属するチャネル１からチャネル４のグループの選択優先度を最も高い「１」に、次に低い搬送波周波数ｆｃ２に属するチャネル５からチャネル８のグループの選択優先度を「２」に、最も高い搬送波周波数ｆｃ３に属するチャネル９からチャネル１６のグループの選択優先度を最も低い「３」に決定しているが、このところまでは図５の場合と同様である。
【００９７】
重み算出部３６１は、選択優先度に応じて図７（ｂ）に示すように重み係数を算出する。
【００９８】
重み乗算部３６２は、図７（ｃ）に示す各チャネルの受信品質に対して、図７（ｂ）の重みを乗算し、図７（ｄ）の重み付け受信品質を算出する。
【００９９】
選択実行部３６３は、図７（ｄ）の重み付け受信品質に基づいて、その良好な方から４個のチャネル、チャネル３（第１位）、チャネル２（第２位）、チャネル８（第３位）、およびチャネル１５（第４位）を、選択チャネルとして選択する。
【０１００】
このように、本実施の形態によれば、端末局装置３００が複数の周波数帯域に配置されたチャネルから受信品質の良好なチャネルを所定の数だけ選んでその受信品質測定結果を基地局装置２００へ通知する際に、各チャネルが属する各周波数帯域の（中心）周波数または搬送波周波数、あるいは、各チャネルの（中心）周波数のいずれかに基づいて該周波数が低い方のチャネルの選択優先度が高くなるように決定し、その選択優先度に基づいてチャネルを選択する。そのため、同じ受信品質のチャネルであっても、チャネルの変動速度がより小さくなる周波数の低い方のチャネルを優先的に選択することが可能となり、より安定性の高い（誤り率特性の良い）下りリンクのデータ通信が実現できる。
【０１０１】
［第３の実施の形態］
次に、本発明の第３の実施の形態について図面を参照しながら説明を行う。本実施の形態における基地局装置２００の構成は図２と同じである。
【０１０２】
図８は、本実施の形態における端末局装置３００の一構成例を示す概略ブロック図である。以下、第１の実施の形態（図３）と異なる部分について説明する。
【０１０３】
移動速度測定部３８２は、端末局装置３００の移動速度を測定し、移動速度測定結果を出力する。移動速度ｖは、図示しない位置測定システム（Global Positioning System：ＧＰＳなど）や速度センサを用いる方法や、受信した下りリンクのパイロットシンボルの時間変動量からドップラー周波数ｆｄを推定し、推定したドップラー周波数と搬送波周波数ｆｃとから算出する方法（ｖ＝ｃ・ｆｄ／ｆｃ、ｃは光速）などによって測定することができる。
【０１０４】
チャネル選択部３８１は、各チャネルの属する周波数帯域と移動速度測定結果とに基づいて各チャネルの選択優先度を決定し、その優先度と受信品質測定部３０８とから出力された各チャネルの受信品質とに基づいて、基地局装置２００に受信品質を通知するチャネルを選択し、選択したチャネルを示す選択チャネル情報と選択したチャネルの受信品質を出力する。
【０１０５】
図９は、チャネル選択部３８１の構成の一例を示すブロック図である。受信品質測定部３０８から出力された各チャネルの受信品質が優先度決定部３４３と選択実行部３４２とに入力される。また、移動速度測定部３８２から出力された移動速度測定結果が優先度選択部３４３に入力される。
【０１０６】
優先度決定部３４３は、各チャネルの属する各周波数帯域の（中心）周波数または搬送波周波数、あるいは、各チャネルの（中心）周波数のいずれかと、移動速度測定結果とに基づいて、各チャネルの選択優先度を決定し出力する。その際、該周波数が低い方のチャネルの選択優先度が高くなるように決定する。さらに、下りリンクにおいて自端末局装置宛の下りリンクデータが割り当てられていたチャネル、または、そのチャネルの属する周波数帯域あるいは搬送波周波数に属する各チャネルの選択優先度が高くなるように決定しても良い。
【０１０７】
選択実行部３４２は、優先度決定部３４３が決定した選択優先度を考慮して受信品質の良好なチャネルから所定数のチャネルを選択し、選択したチャネルを表す選択チャネル情報と、選択チャネルの受信品質を出力する。
【０１０８】
図１０は、ある時刻ｔ０における伝搬路と時刻ｔ０から時間ｔが経過した後における伝搬路との相関（伝搬路相関）と、移動速度と、の関係を示したグラフである。
【０１０９】
図１０に示すように、移動速度が大きくなるにつれて、時刻ｔ０と時刻ｔ０＋ｔにおける伝搬路の間の相関（以下、単に「伝搬路相関」と記す。）は低下し、ある移動速度以上となると無相関となる。さらに、伝搬路相関の低下は、搬送波周波数が高いほど急峻となる。尚、図１０においてｆｃ１＜ｆｃ２＜ｆｃ３である。
【０１１０】
ある移動速度ｖ１における各搬送波周波数ｆｃ１，ｆｃ２、ｆｃ３に対応する伝搬路相関をｒ１１、ｒ１２、ｒ１３とすると、図１０に示すようにｒ１１＞ｒ１２＞ｒ１３となる。また、ｖ２＞ｖ１となる移動速度ｖ２においては、同様に伝搬路相関をｒ２１，ｒ２２、ｒ２３とするとｒ２１＞ｒ２２＞ｒ２３となるが、それぞれの相関値の間の差（比）は異なってくる。
【０１１１】
したがって、優先度決定部３４３では、上記の移動速度に対する各搬送波周波数における伝搬路相関の差に基づいて選択優先度を決定する。
また、移動速度が十分小さい場合は各搬送波周波数における伝搬路相関に差はなく、移動速度が非常に大きい場合はどの搬送波周波数における伝搬路相関も無相関となるため、これらの移動速度においては各チャネルの選択優先度は等しくなるように決定するのが好ましい。すなわち、伝搬路相関に差がないと見なせる十分小さな移動速度を第１の閾値として設定し、同様にどの搬送波周波数でも伝搬路相関が無相関となる大きな移動速度を第２の閾値として設定し、チャネル選択部は、移動速度の測定結果が第１の閾値以下、または第２の閾値以上である場合、選択優先度を全チャネルで等しくするようにする。
【０１１２】
なお、上記では搬送波周波数を用いて説明したが、各周波数帯域の（中心）周波数または各チャネルの（中心周波数）で適用しても良い。
【０１１３】
このように、本実施の形態によれば、端末局装置３００が複数の周波数帯域に配置されたチャネルから受信品質の良好なチャネルを所定の数だけ選んでその受信品質測定結果を基地局装置２００へ通知する際に、各チャネルが属する各周波数帯域の（中心）周波数または搬送波周波数、あるいは各チャネルの（中心）周波数のいずれかに基づいて該周波数が低い方のチャネルの選択優先度が高くなるようにし、さらに端末局装置の移動速度による伝搬路変動の影響を考慮して選択優先度を決定し、チャネルを選択する。そのため、同じ受信品質のチャネルであっても、チャネルの変動速度がより小さくなる、周波数の低い方のチャネルを優先的に選択し、かつ、端末局装置の移動速度による伝搬路変動の大きさの違いを考慮してチャネルを選択することが可能となり、より安定性の高い（誤り率特性の良い）下りリンクのデータ通信が実現できる。
【０１１４】
［第４の実施の形態］
次に、本発明の第４の実施の形態について説明する。本実施の形態における基地局装置２００の構成は図２と同じである。また、端末局装置３００の構成は図８のチャネル選択部３８１の構成が異なり、その他の構成は同じである。
【０１１５】
以下、第３の実施の形態と異なる部分について説明する。
図１１は、本実施の形態における端末局装置３００のチャネル選択部３８１の構成の一例を示すブロック図である。受信品質測定部３０８から出力された各チャネルの受信品質が優先度決定部３４３と重み乗算部３６２とに入力される。
【０１１６】
優先度決定部３４３は、各チャネルの属する各周波数帯域の（中心）周波数または搬送波周波数、あるいは各チャネルの（中心）周波数のいずれかと、移動速度測定結果とに基づいて、各チャネルの選択優先度を決定し出力する。その際、該周波数が低い方のチャネルの選択優先度が高くなるように決定する。さらに、下りリンクにおいて自端末局装置宛の下りリンクデータが割り当てられていたチャネル、またはそのチャネルの属する周波数帯域あるいは搬送波周波数に属する各チャネルの選択優先度が高くなるように決定しても良い。
【０１１７】
重み算出部３６１は、優先度決定部３４３で決定した各チャネルの選択優先度に応じて、各チャネルの受信品質に乗算する重み係数を算出する。
【０１１８】
重み乗算部３６２は、各チャネルの受信品質に対して、重み算出部３６１で算出した各チャネルの重み係数を乗算し、重み付け受信品質を出力する。
【０１１９】
選択実行部３６３は、重み付け受信品質の良好なチャネルから所定数のチャネルを選択し、選択したチャネルを表す選択チャネル情報と、選択チャネルの重み付け受信品質を出力する。
【０１２０】
尚、上記の例では、選択チャネルの受信品質として、重み付け後の受信品質を基地局装置２００へ通知する場合について説明したが、重み付け前の受信品質を通知する構成としても良い。その場合には、受信品質測定部３０８から出力された各チャネルの受信品質を選択実行部３６３にも入力するか、または重み乗算部３６２において重み付け受信品質とともに受信品質を出力し、選択実行部３６３は選択したチャネルを表す選択チャネル情報と、（重み付け前の）受信品質を出力するようにすれば良い。
【０１２１】
本実施の形態におけるチャネル選択の例は、選択優先度を移動速度も考慮して決定する以外、図７の例と同様となる。
【０１２２】
また、優先度決定部３４３における移動速度測定結果に基づく選択優先度の決定に関しては第３の実施の形態（図１０）と同様である。
【０１２３】
このように、本実施の形態によれば、端末局装置３００が複数の周波数帯域に配置されたチャネルから受信品質の良好なチャネルを所定の数だけ選んでその受信品質測定結果を基地局装置２００へ通知する際に、各チャネルが属する各周波数帯域の（中心）周波数または搬送波周波数、あるいは各チャネルの（中心）周波数のいずれかに基づいて該周波数が低い方のチャネルの選択優先度が高くなるようにし、さらに端末局装置の移動速度による伝搬路変動の影響を考慮して選択優先度を決定し、チャネルを選択する。そのため、同じ受信品質のチャネルであっても、チャネルの変動速度がより小さくなる、周波数の低い方のチャネルを優先的に選択し、かつ端末局装置の移動速度による伝搬路変動の大きさの違いを考慮してチャネルを選択することが可能となる。従って、より安定性の高い（誤り率特性の良い）下りリンクのデータ通信が実現できる。
【０１２４】
［第５の実施の形態］
次に、本発明の第５の実施の形態について説明する。本実施の形態では、基地局装置２００と端末局装置３００とが、それぞれアンテナを複数備え、下りリンクにおいて複数の送信モードを切り替えて通信を行うシステムについて説明する。上記送信モードとしては、
送信ダイバーシチ、
ＭＩＭＯ（Multiple Input Multiple Output：多入力多出力）伝送、
などがある。
【０１２５】
基地局装置２００はアンテナを複数備える点以外は、図２と基本的に同じである。また、端末局装置３００の構成は、アンテナを複数備える以外は図３と基本的に同じであるが、チャネル選択部３１１に復号化部３０９が出力する下りリンクの制御情報またはスケジューリング情報に含まれる上記の送信モードを示す送信モード情報がさらに入力される。
【０１２６】
本実施の形態におけるチャネル選択部３１１は、上記送信モード情報が送信ダイバーシチを示している場合、各チャネルの属する各周波数帯域の（中心）周波数または搬送波周波数、あるいは各チャネルの（中心）周波数のいずれかに基づいて、該周波数が低い方のチャネルの中から受信品質の良好なチャネルをより多く選択チャネルとして選択する。
【０１２７】
また、上記送信モード情報がＭＩＭＯを示している場合、上記周波数が高い方のチャネルの中から受信品質の良好なチャネルをより多く選択チャネルとして選択する。
【０１２８】
尚、一般的に複数の送受信アンテナを用いて送信モードを切り替えて通信を行うシステムでは、端末局装置の移動速度が速い場合は伝搬路変動が激しいためアンテナ間でのダイバーシチ効果を狙って送信ダイバーシチを送信モードとして選択し、端末局装置の移動速度が遅い場合は高速伝送を狙ってＭＩＭＯを送信モードとして選択する。
【０１２９】
このように、本実施の形態によれば、端末局装置３００が複数の周波数帯域に配置されたチャネルから受信品質の良好なチャネルを所定の数だけ選んでその受信品質測定結果を基地局装置２００へ通知する際に、下りリンクの送信モードに応じて、各チャネルが属する各周波数帯域の（中心）周波数または搬送波周波数、あるいは各チャネルの（中心）周波数のいずれかに基づいてチャネルを選択する基準を変更する。これにより、送信モードに応じた適切なチャネルを優先的に選択することが可能となり、より効率的な（誤り率特性の良い、または伝送速度の高い）下りリンクのデータ通信が実現することができる。
【０１３０】
以上のように上記各実施形態では、
下りリンクの伝送システム：マルチキャリア伝送システム（特にＯＦＤＭＡ伝送システム）、
チャネル構成：少なくとも１つのサブキャリアを備え、受信品質情報の単位：チャネル単位、
下りリンクの適応スケジューリング（チャネルの端末局装置への割り当て）および適応変調：チャネル毎またはチャネルをさらに時間方向に分割したリソースブロック毎、としたセルラーシステムに、
受信品質としてパイロットシンボルに基づき算出したＳＩＮＲを用いた例について説明した。
【０１３１】
しかしながら、本発明の適用できる、変調方式、チャネル構成、受信品質情報および適応変調の単位、適応スケジューリング、および受信品質は上記の例に限定されるものではない。
【０１３２】
例えば、下りリンクの伝送システムとして拡散技術を用いたＭＣ−ＣＤＭＡ（Multi Carrier-Code Division Multiple Access）システムを、適応変調および適応スケジューリングの単位は、ＭＩＭＯ（Multiple Input Multiple Output）などのＳＤＭＡ（Space Division Multiple Access：空間分割多元接続）において送信アンテナあるいは固有モードが示す複数のチャネル、ＣＤＭＡにおける複数のコードチャネル、あるいはこれらの組み合わせとしてのチャネルなど、複数のチャネルを用いて通信を行なう他のシステムであっても、チャネル毎に受信品質が異なる可能性があるシステムにおいて、本発明を適用することができる。
【０１３３】
また、受信品質としては、
ＲＳＳＩ（Received Signal Strength Indicator）、ＳＮＲ、ＳＩＲ（Signal to Interference power Ratio：受信信号電力対干渉電力比）、ＣＮＲ（Carrier to Noise power Ratio：搬送波電力対雑音電力比）、ＣＩＲ（Carrier to Interference power Ratio：搬送波電力対干渉電力比）、ＣＩＮＲ（Carrier to Interference plus Noise power Ratio：搬送波電力対干渉電力および雑音電力比）、など受信信号電力や搬送波電力に関連して受信品質を示す指標、
変調方式とチャネル符号化率の組み合わせであるＭＣＳ（Modulation and Coding Scheme）や伝送レートなどの変調パラメータ等の伝搬路状態に応じて選択された変調パラメータなどの伝送速度にかかわる指標、であれば何を用いても良い。
【０１３４】
また、上記の各実施の形態では、基地局装置と端末局装置とから構成されるＦＤＤ（Frequency Division Duplex：周波数分割複信）を採用する通信システムであり、下りリンクの通信においてＯＦＤＭの適応変調システムを想定し、上りリンクの通信ではＯＦＤＭと適応変調は行わないシステムを想定しているが、これに限定されるものではない。
【０１３５】
さらに、本発明は、複数の無線通信装置のいずれかがスケジューリング機能と適応変調を実施し、他の無線通信装置が受信品質情報送信機能を実施することができる関係にある無線通信装置同士へ適用することができる。
【０１３６】
なお、２つの無線通信装置間で、チャネルの受信品質情報を通知する側（受信品質情報送信機能を有する側）を端末局装置、通知された受信品質情報に基づいて各端末局装置への送信データを各チャネルに割り当て適応変調を行う側（スケジューリング機能を行う側）を基地局装置として説明したが、１つの無線通信装置が両方の機能を有する場合もあり得る。
【０１３７】
また、本明細書では、無線通信装置は、無線通信を行なう装置であり、基地局装置、端末局装置、無線機、携帯端末局装置、携帯電話等を含む。
【０１３８】
本実施の形態によれば、端末局装置が複数の周波数帯域に配置されたチャネルから受信品質の良好なチャネルを所定の数だけ選んでその受信品質測定結果を基地局装置へ通知する際に、より適切なチャネルを選択することを可能とする端末局装置および通信システムを提供することができる。
【産業上の利用可能性】
【０１３９】
本発明は、通信装置に利用可能である。
【図面の簡単な説明】
【０１４０】
【図１】本発明の第１の実施の形態における通信技術における、下りリンクのチャネルの周波数配置の一例を示した図である。
【図２】本実施の形態における基地局装置の一構成例を示す概略ブロック図である。
【図３】本実施の形態における端末局装置の一構成例を示す概略ブロック図である。
【図４】端末局装置におけるチャネル選択部の構成の一例を示すブロック図である。
【図５】Ｎ個のチャネルからＭ個のチャネルを選択する場合の一例として、Ｎ＝１６、Ｍ＝４の例を示す図であり、各チャネルの属する搬送波周波数に基づいて選択優先度を決定した場合の例である。
【図６】本発明の第２の実施の形態における端末局装置のチャネル選択部の構成の一例を示すブロック図である。
【図７】Ｎ個のチャネルからＭ個のチャネルを選択する場合の一例として、Ｎ＝１６、Ｍ＝４の例を示す図である。
【図８】本発明の第３の実施の形態における端末局装置の一構成例を示す概略ブロック図である。
【図９】チャネル選択部の構成の一例を示すブロック図である。
【図１０】ある時刻ｔ０における伝搬路と時刻ｔ０から時間ｔが経過した後における伝搬路との相関（伝搬路相関）と、移動速度と、の関係を示したグラフである。
【図１１】本発明の第４の実施の形態における端末局装置のチャネル選択部の構成の一例を示すブロック図である。
【符号の説明】
【０１４１】
２００…基地局装置、２０１…第１の符号化部、２０２…第２の符号化部、２０３…第１の変調部、２０４…第２の変調部、２０５…パイロット生成部、２０６…マッピング部、２０７…周波数時間変換部、２０８…ＧＩ（Guard Interval：ガード期間）挿入部、２０９…無線送信部、２１０…アンテナ部、２１１…無線受信部、２１２…復調部、２１３…復号化部、２１４…受信品質情報記憶部、２１５…スケジューリング部、３００…端末局装置、３０１…アンテナ部、３０２…無線受信部、３０３…ＧＩ除去部、３０４…時間周波数変換部、３０５…デマッピング部、３０６…第１の復調部、３０７…第２の復調部、３０８…受信品質測定部、３０９…第１の復号化部、３１０…第２の復号化部、３１１…チャネル選択部、３１２…受信品質情報生成部、３１３…符号化部、３１４…変調部、３１５…無線送信部。
【図１】
2010098368.tif 000005
【図２】
2010098368.tif 000006
【図３】
2010098368.tif 000007
【図４】
2010098368.tif 000008
【図５】
2010098368.tif 000009
【図６】
2010098368.tif 000010
【図７】
2010098368.tif 000011
【図８】
2010098368.tif 000012
【図９】
2010098368.tif 000013
【図１０】
2010098368.tif 000014
【図１１】
2010098368.tif 000015